(57)【要約】      （修正有）【課題】輸送及び保管が容易であるが、使用する際に最適な濾過能力を有するポケット型フィルタを提供する。【解決手段】ポケット型フィルタ１が、内側に固定した状態で濾材６を収容し支持する外周フレーム５を各々有する複数のフィルタ部材３を備え、フィルタ部材３が、ポケット型フィルタ１の外周支持フレーム４に取り外し可能に取り付けられ、濾過する気体状の流体が通り抜けるダクト、開口又は容器本体に取り外し可能に挿入することができる単一のフィルタ構造体２を構成し、フィルタ構造体２が、断面が四角形の全体を分解することのできる外周構造体を有している。外周構造体は、外周支持フレーム４からなり、外周支持フレームは、個々の取り外し可能な側部部材１１、１２及び２個のフィルタ部材からなっている。【選択図】図２
0003217690.tif 000002
【実用新案登録請求の範囲】
【請求項１】
各々が、内側に固定した状態で濾材（６）を収容し支持する外周フレーム（５）を有する複数のフィルタパネル（３）を備えたポケット型フィルタ（１）であって、前記フィルタパネル（３）が、ポケット型フィルタ（１）の外周支持フレーム（４）に取り外し可能に取り付けられ、濾過する気体状の流体が通り抜けるダクト、開口、容器本体などに取り外し可能に挿入することができる単一のフィルタ構造体（２）を構成し、前記フィルタ構造体（２）が、断面が四角形の全体を分解することのできる外周構造体を有するポケット型フィルタにおいて、前記外周構造体が、前記外周支持フレーム（４）と２個のフィルタパネル（３）であって、互いに分離自在なフィルタパネルとを備え、ポケット型フィルタの各フィルタパネルは、前記ポケット型フィルタのフィルタ部材（３）とは別体で隔てられ独立しており、前記外周支持フレーム（４）は、互いに平行に配置され相互に独立して互いに連結された２個の側部部材すなわちパネル（１１、１２）を備えており、前記パネルすなわち側部部材は、フィルタ構造体（２）の四角形の外周構造体の両側側部を構成し、前記パネルすなわち側部部材は、相対的な連結によりフィルタ部材（３）に取り付けることができ、前記フィルタ部材（３）のうちの２個が、前記フィルタ構造体（２）の前記四角形の外周構造体の他の２個の側面を構成していることを特徴とするポケット型フィルタ。
【請求項２】
側部部材すなわちパネル（１１、１２）が、フィルタ部材（３）の外周フレーム（５）の側部（９）に取り付けられた対応する嵌め合い連結手段（２８、３０）用の取り外し可能な連結手段（２６、２７）を備えていることを特徴とする請求項１に記載のフィルタ。
【請求項３】
前記連結手段（２６、２７）と嵌め合い連結手段（２８、３０）は、互いに対して摺動することができることを特徴とする請求項２に記載のフィルタ。
【請求項４】
連結手段は、フィルタ構造体（２）の各側部部材すなわちパネル（１１、１２）に設けられた細長い受け座（２６、２７）であり、嵌め合い連結手段は、フィルタ部材の外周フレーム（５）の側部（９）から突出したリブ（２８）であり、前記リブは、前記リブ（２８）が断面で見た時に少なくとも「Ｌ」又は「Ｔ」の形状であるように横方向に突出した部分（３０）を備えた自由端を有していることを特徴とする請求項３に記載のフィルタ。
【請求項５】
各側部部材すなわちパネル（１１、１２）が、自由端の一つ（１７Ａ）において先端が突出エッジ（１８）になった主要部（１７）を有する本体部（１６）を備えており、フィルタ部材（３）の突出部分（３０）を有するリブ（２８）用の前記細長い受け座（２６、２７）が、前記主要部（１７）及び突出エッジ（１８）に設けられていることを特徴とする請求項４に記載のフィルタ。
【請求項６】
前記細長い受け座が、前記側部部材すなわちパネル（１１、１２）の長手方向の軸線（Ｗ）に沿う細長い貫通口（２６）からなり、前記貫通口は、前記側部部材すなわちパネルに設けられ前記貫通口（２６）と角度をなして配置された細長いスロット（２７）とつながっていることを特徴とする請求項４に記載のフィルタ。
【請求項７】
前記貫通口（２６）が、側部部材すなわちパネル（１１、１２）の突出エッジ（１８）に設けられ、細長いスロット（２７）が、前記側部部材すなわちパネルの第２の側面（２０）に備えられたフィルタ部材（３）用の対応する受け座に対応する前記側部部材すなわちパネルの第１の側面（１９）に設けられた突出部（２１）に対応して形成されていることを特徴とする請求項５又は６に記載のフィルタ。
【請求項８】
フィルタ構造体の周囲に配置された封止部材（４０）を備え、前記封止部材（４０）が弾性材料からなることを特徴とする請求項１に記載のフィルタ。
【請求項９】
互いに別体で隔てられているフィルタ部材（３）が、外周支持フレーム（４）において互いに角度をなして配置され、前記フィルタ部材（３）が、ポケット型フィルタ（１）における断面がＶ字形の複数個の対を構成し、Ｖ字形状において、同じ対のフィルタ部材（３）の下部エッジ（８）が、互いに隔てられているが近傍にあり、隣接する対のフィルタ部材（３）の上部エッジ（７）が互いに近傍にあることを特徴とする請求項１に記載のフィルタ。
【請求項１０】
各フィルタ部材（３）の各側部（９）には、近接する側部部材すなわちパネル（１１、１２）と係合してフィルタ（１）を通り抜けるガス状の流体を透過させない封止状態をつくるように構成された細長い封止部材（５０）が備わっていることを特徴とする請求項１に記載のフィルタ。
【請求項１１】
フィルタ部材（３）の各外周フレーム（５）が、Ｌ字形状を有していることを特徴とする請求項１に記載のフィルタ。
【請求項１２】
各フィルタ部材（３）が、襞になった濾材（６）を有し、前記濾材（６）の襞の一部に付着させた接着剤によって隔てられ、濾材に機械的安定性を付与していることを特徴とする請求項１に記載のフィルタ。
【考案の詳細な説明】
【技術分野】
【０００１】
本考案は、独立請求項の公知要件事項部に記載の硬質のポケット型フィルタ又は硬質のフィルタパネルを備えたポケット型フィルタに関する。
【背景技術】
【０００２】
公知のように、硬質のポケット型フィルタは、大きな濾過面を有しており、このことが、硬質のポケット型フィルタを通過するガス状の流体、一般的には空気、の濾過において高い濾過効率をもたらしている。同時に、硬質のポケット型フィルタは、清浄し易いので非常に使い易いだけでなく、前記ガス状の流体に存在する夾雑物、塵埃などを保持する高い能力、高い寸法安定性を示す。
【０００３】
より詳細には、通常のポケット型フィルタは、各々大きな濾過面を有する複数のフィルタ部材又はカートリッジ用の受け座を構成する硬質の外周支持フレームを備えている。これらのフィルタ部材は各々、側部となり、（したがって内側に）濾材を支持する外周フレームを備え、濾材は、金属フィルタ、ＨＥＰＡフィルタなど、ガラスマイクロファイバーフィルタ又は濾網又は他のそれ自体は公知の濾材の形態でよい。
【０００４】
外周支持フレームは、フィルタ部材の濾材が、濾材を通過する空気から捕捉した物質によって塞がれるようになった時に交換することができるように、前記フィルタ部材各々を、取り外し可能に保持することができる。
【０００５】
外周支持フレーム及び（通常、互いに角度をなして配置されている）全てのフィルタ部材は、一般的には空気である前記ガス状の流体（又は、他のガス状の流体）が通って流れるエアダクト又は開口に迅速容易に挿入することのできる単一のフィルタ構造体を構成している。前記ポケット型フィルタは、（一般的にパネルの形態である）個々のフィルタ部材が、フィルタ部材の濾材が汚れた時に外周支持フレームから取り外すことができるので、特に効率が良く使用し易い。
【０００６】
しかしながら、ポケット型フィルタは、２、３個乃至多数個のフィルタ部材又はパネルを備えていることがあり、そのため、ポケット型フィルタのフィルタ構造体も相当な大きさになることがある。何れにしても、使用前の保管用に十分なスペースが必要であるとともに、取り扱い及び輸送の面で、付随する問題が確実にある（外周支持フレームは、実質的に硬質の「箱」である）。これは、輸送及び保管の両方の面で、費用がより高いことにもなる。
【考案の概要】
【考案が解決しようとする課題】
【０００７】
本考案の目的は、公知の解決策と比較して改良されたポケット型フィルタを提供することである。
【０００８】
特に、本考案は、輸送及び保管が容易であるが、使用する際に最適な濾過能力を有するポケット型フィルタを提供することを目的としている。
【０００９】
本考案の他の目的は、製造が安価な上記のタイプのポケット型フィルタを提供することである。本考案のさらに別の目的は、設置が早くできる上記のタイプのフィルタを提供することである。
【課題を解決するための手段】
【００１０】
これらの目的及び当業者には明らかになるであろう他の目的は、添付の実用新案登録請求の範囲に記載のポケット型フィルタによって達成される。
【００１１】
本考案がより良く理解されるよう、純粋に非限定の例示として、以下の図面を添付する。
【図面の簡単な説明】
【００１２】
【図１】使用の状態にある、本考案によるポケット型フィルタを下方から見た斜視図を示している。
【図２】構成部材のいくつかを交換する工程中の図１のポケット型フィルタを上方から見た斜視図を示している。
【図３】組み立て工程中の図１のポケット型フィルタを側方から見た拡大斜視図を示している。
【図４】図３に示す拡大斜視図を別の角度から見た斜視図を示している。
【図５】図１のポケット型フィルタのさらに別の組み立て工程の側面斜視図を示している。
【図６】組み立て中の図１のポケット型フィルタを上方より別の角度から見た図を示している。
【図７】より明瞭になるように、いくつかの部品が省略された、本考案のポケット型フィルタの斜視分解図を示している。
【図８】図１のポケット型フィルタの一部を一方の側面側から見た斜視図を示している。
【図９】図８に示すポケット型フィルタの当該一部をもう一方の側面側から見た斜視図を示している。
【考案を実施するための形態】
【００１３】
上記の図面を参照すると、ポケット型フィルタが、全体を参照符号１で示され、互いに独立した複数個の個々のフィルタ部材３と、個々のフィルタ部材３が取り外し可能に取り付けられる支持フレーム４からなるフィルタ構造体２を備えている。各フィルタ部材は、何等かの公知のタイプの濾材６が挿入される受け座を構成する（実質的にＬ字形の）外周フレーム５を備えている。この濾材すなわちフィルタ６は、例えば接着剤で前記外周フレームに接合させることにより、前記外周フレーム５に固定されている。濾材６（例えば、抗菌コーティングを有するＨＥＰＡフィルタ）は、襞になったフィルタ、好ましくは何等かの「微細に折り畳まれた」フィルタであり、接着剤の斑点又は接着剤の小さな帯状部（すなわち「付着した接着剤」）によって隔てられ、フィルタの機械的安定性（すなわち、フィルタに対して垂直な応力に対する抵抗力）を改善し、それにより、フィルタを通過する流体の流れに対する濾過作用を向上させ、詰まりが生じる領域を小さくし、重量を減らしている。
【００１４】
外周フレーム５は、特に、支持フレーム４への挿入方向及び支持フレームにおける外周フレームの位置の観点から見ると、上部エッジ７（上部エッジにおいて、外周フレーム５は屈曲部５Ａを有し、Ｌ字形を構成している）、下部エッジ８及び両側部９を有している。前記外周フレーム５は、それぞれ上部エッジ７及び下部エッジ８に配置された封止部材７６及び７７を備えている。
【００１５】
公知の解決策とは異なり、支持フレーム４は、フィルタ部材３用の予め決められた受け座を構成する外周構造を有する硬質の箱形体ではない。これに対して、前記支持フレーム４は、対向する２個だけの側部部材すなわちパネル１１及び１２によって構成され、これらの側部部材すなわちパネルは、互いに別体であり連結されていないが、構造部材としても役割を果たす個々のフィルタ部材３のみによって連結されていてもよい。これらのフィルタ部材３のうちの２個が、パネルすなわち側部部材１１の対応する自由端に配置され、全てのフィルタパネル３を収容する四角形の部分であるフィルタ構造体２の外周構造を構成している。したがって、前記外周構造体の対向する壁のうちの２個が、フィルタ部材３によって直接構成され、他の壁は支持フレーム４の２個のパネル（１１及び１２）によって構成される。
【００１６】
このように、フィルタ構造体２は、予め決められた形状を有するのではなく、全体をその部品（外周構造体、支持フレーム及びフィルタ部材）に分解することができる。フィルタ構造体を分解すると、フィルタ構造体の全ての部品（構成部材１１及び１２並びにフィルタ部材３）は、パネルの形態であるので、フィルタ構造体は、サイズの小さな箱に入れることができ、保管する際には、上記の部品は積み重ねることができるので（また、外周フレーム５がＬ字形であるおかげで）、占める空間が小さく、又は同じ部品（例えば、構成部材１１及び１２）は、他の異なる部品（例えば、フィルタ部材３）とは別に保管することができるので、保管施設の大きさを制限しながら、多くのポケット型フィルタの保管を最適化していることになる。固定された部品（濾材６）が、取り外し可能な部品（構成部材１１及び１２、外周フレーム５）と異なる色を有しているので、フィルタ１の種々の部品の取り扱いが容易である。
【００１７】
また、以下に述べる事項から明らかになるように、フィルタ構造体２の組み立ては、容易であり、濾過する空気が流れて通るダクト又は開口に取り付ける前に、迅速に行うことができる。
【００１８】
より詳細には、フィルタ構造体２の各側部部材すなわちパネル１１及び１２は、一方の自由端１７Ａにおいて、先端が突出エッジ１８になった主要部１７を有する本体部１６を備えている。主要部は、第１の側面１９と第２の側面２０を有しており、第２の側面は、フィルタ構造体２の内側面を構成し、フィルタ部材３と直接係合するように構成されている。この目的で、第２の側面２０は、これらのフィルタ部材３用の凹部すなわち受け座２０Ａを備えており、これらの凹部すなわち受け座は、図面において分かるように、第１の側面１９における突出部２１となって現れている。また、図面から、隣接する２個のフィルタ部材３が、どのように互いに角度をなして配置されているかが分かる。封止部材８８が、前記凹部すなわち受け座２０Ａの内側の縁に沿って配置されている。
【００１９】
各突出部２１において、突出端１８が、パネルすなわち側部部材１１又は１２（或いはフィルタ構造体２）の長手方向の軸線Ｗに沿う細長い貫通口２６を有しており、この貫通口は、貫通口２６に対して角度（例えば、直角）をなし、前記側部部材の本体部１６の主要部１７の突出部２１のうちの対応する１個に、前記対応する１個の突出部の少なくとも一部に沿って形成された細長いスロット２７とつながっている。
【００２０】
各スロット２７は、フィルタ部材３の外周フレーム５の隣接する側部９又は１０から突出したリブ２８と係合するように構成され、前記突出リブすなわち突起２８は、その自由端において、前記突出リブに対して横方向に突出する部分３０になっている。このようにして、突起２８は、実質的にＴ字形の（むしろ、ほとんどＬ字型の）断面を有している。
【００２１】
各突起２８の形状のおかげで、フィルタ部材３を、貫通口２６及びスロット２７を介して、側部部材１１又は１２に連結し、フィルタ構造体２を「構成する」又は組み立てることができる。フィルタ構造体２の外周構造は、２個の側部部材すなわちパネル１１及び１２をフィルタ部材３と連結するだけで構成される。これが、フィルタ構造体２の迅速な組み立てを可能にし、ポケット型フィルタ１の構成部材の保管も容易にする。
【００２２】
より具体的には、前記組み立てをするには、各パネルすなわち側部部材１１及び１２を、個々のフィルタ部材３の外周フレーム５の対応する側部９又は１０の近くに寄せ、フィルタ部材の突出リブ２８の突出部分３０を、側部部材すなわちパネルにおける貫通口２６に対応して配置させる。こうして、突出リブ２８は、スロット２７に対応して配置される。すると、フィルタ部材３の上部エッジ７が押圧され、突出リブが、スロット２７に滑り込む。スロットは、突出リブと大きさが実質的に等しく、滑り込みを容易にするのに十分な最小限の隙間で結合がなされることに留意すべきである。突出部分３０は、突出リブよりも広いので、突出部分は、スロットの外側で、突出部２１上にとどまるので、フィルタ部材３を側部部材すなわちパネルに連結された状態に維持する。
【００２３】
上記の手順によって、各フィルタ部材が、側部パネルに取り付けられ、フィルタ構造体が予め決められた形状の外周構造を有することなしに、フィルタ構造体を形成する。個々のフィルタ部材３を交換する必要がある場合には、前記個々のフィルタ部材を側部部材すなわちパネルに取り付ける上記の手順が逆に繰り返される。
【００２４】
フィルタ部材が互いに独立しているので、個々のフィルタ部材の交換及び洗浄を簡単で容易に行うことができる。
【００２５】
好ましくは気泡体又は弾性材料からなる封止部材４０が、フィルタ構造体２の周囲に配置され、前記フィルタ構造体が、ダクトの受け座、開口又は前記ダクト若しくは開口に取り付けられ前記フィルタ構造体２を収容するように構成された外部構成部材に挿入された時に、封止状態を形成する。前記封止部材４０が弾性なので、フィルタ１は、大小様々な大きさの外部構成部材又は開口に挿入することができ、いろいろな寸法差が、前記封止部材４０が大きな又は小さな度合いに変形することにより補償される。
【００２６】
使用中、空気がフィルタを通過すると、空気が前記フィルタ構造体を外部構成部材又は外部構成部材の受け座に押し込み、封止部材４０を圧縮し、フィルタ構造体２の周囲に必要な封止状態を形成する。
【００２７】
隣接する個々の別体のフィルタ部材３が、互いに角度をなして配置されていることに留意すべきである。具体的には、フィルタ部材３は、フィルタ構造体２の内側で「Ｖ」字形になるように配置され、この配置では、２個のフィルタ部材３が、それらの下部エッジ８において、互いに近接している（図１及び図７参照）。先に説明したように、前記下部エッジにおいて、各フィルタ部材３は封止部材７７を備えているか、又は隣接するフィルタ部材３と気密な封止状態を形成するような形状になっているのが好ましい。
【００２８】
一方、連続する対のフィルタ部材３は、それらの上部エッジ７において互いに近接している。先に説明したように、前記上部エッジ７においても、封止部材７６が配置され、前記上部エッジにおける気密な封止状態を形成している。
【００２９】
最後に、（上記のようにして）前記フィルタ部材を前記パネルに取り付けると、各フィルタ部材３の側部９は、対応する側部部材すなわちパネル１１及び１２の受け座２０Ａの内側に設けられた封止部材８８に接して前記パネルの最適な気密の封止状態をつくりあげる。
【００３０】
前述のように、本考案は、（フィルタ構造体が分解又は取り外しできるので）運搬し易い、（フィルタ構造体２を分解すると占有するスペースが小さいので）保管し易い、組み立てやすく使用するのに信頼性が高いポケット型フィルタを提供するものである。運搬及び保管費用は、フィルタ構造体が分解できるので、明らかに低減される。
【００３１】
本考案の好適な実施の形態を述べてきたが、当業者は、先の説明に基づいてさらに別の実施の形態を思いつくであろう。例えば、フィルタ部材３が、別の態様で、例えば形状と摺動構造の組み合わせによって他の部分に結合された１個の部分から突出した部材をさらに用いるが、２個のフィルタ部材のうちの１個に貫通スロット（例えば、スロット２７）を設けず、細長い盲穴を設ける態様で、側部部材すなわちパネル１１及び１２に取り付けられる。
【００３２】
これらの解決策も、以下の実用新案登録請求の範囲において定義された本考案の範囲内にあると考えられる。
【図１】
0003217690.tif 000003
【図２】
0003217690.tif 000004
【図３】
0003217690.tif 000005
【図４】
0003217690.tif 000006
【図５】
0003217690.tif 000007
【図６】
0003217690.tif 000008
【図７】
0003217690.tif 000009
【図８】
0003217690.tif 000010
【図９】
0003217690.tif 000011
【手続補正書】
【提出日】平成29年12月7日(2017.12.7)
【手続補正１】
【補正対象書類名】実用新案登録請求の範囲
【補正対象項目名】全文
【補正方法】変更
【補正の内容】
【実用新案登録請求の範囲】
【請求項１】
各々が、内側に固定した状態で濾材（６）を収容し支持する外周フレーム（５）を有する複数のフィルタ部材（３）を備えたポケット型フィルタ（１）であって、前記フィルタ部材（３）が、ポケット型フィルタ（１）の外周支持フレーム（４）に取り外し可能に取り付けられ、濾過する気体状の流体が通り抜けるダクト、開口又は容器本体に取り外し可能に挿入することができる単一のフィルタ構造体（２）を構成し、前記フィルタ構造体（２）が、断面が四角形の全体を分解することのできる外周構造体を有するポケット型フィルタにおいて、前記外周構造体が、前記外周支持フレーム（４）と２個のフィルタ部材（３）であって、互いに分離自在なフィルタ部材と備え、ポケット型フィルタの各フィルタ部材は、互いに別体で隔てられて独立しており、前記外周支持フレーム（４）は、互いに平行に配置され相互に独立して互いに連結された２個の側部部材（１１、１２）を備えており、前記側部部材は、フィルタ構造体（２）の四角形の外周構造体の両側側部を構成し、前記側部部材は、相対的な連結によりフィルタ部材（３）に取り付けることができ、前記フィルタ部材（３）のうちの２個が、前記フィルタ構造体（２）の前記四角形の外周構造体の他の２個の側面を構成していることを特徴とするポケット型フィルタ。
【請求項２】
側部部材（１１、１２）が、フィルタ部材（３）の外周フレーム（５）の側部（９）に取り付けられた対応する嵌め合い連結手段（２８、３０）用の取り外し可能な連結手段（２６、２７）を備えていることを特徴とする請求項１に記載のフィルタ。
【請求項３】
前記連結手段（２６、２７）と嵌め合い連結手段（２８、３０）は、互いに対して摺動することができることを特徴とする請求項２に記載のフィルタ。
【請求項４】
連結手段は、フィルタ構造体（２）の各側部部材（１１、１２）に設けられた細長い受け座（２６、２７）であり、嵌め合い連結手段は、フィルタ部材の外周フレーム（５）の側部（９）から突出したリブ（２８）であり、前記リブは、前記リブ（２８）が断面で見た時に少なくとも「Ｌ」又は「Ｔ」の形状であるように横方向に突出した部分（３０）を備えた自由端を有していることを特徴とする請求項３に記載のフィルタ。
【請求項５】
各側部部材（１１、１２）が、自由端の一つ（１７Ａ）において先端が突出エッジ（１８）になった主要部（１７）を有する本体部（１６）を備えており、フィルタ部材（３）の突出部分（３０）を有するリブ（２８）用の前記細長い受け座（２６、２７）が、前記主要部（１７）及び突出エッジ（１８）に設けられていることを特徴とする請求項４に記載のフィルタ。
【請求項６】
前記細長い受け座が、前記側部部材（１１、１２）の長手方向の軸線（Ｗ）に沿う細長い貫通口（２６）からなり、前記貫通口は、前記側部部材に設けられ前記貫通口（２６）と角度をなして配置された細長いスロット（２７）とつながっていることを特徴とする請求項４に記載のフィルタ。
【請求項７】
前記貫通口（２６）が、側部部材（１１、１２）の突出エッジ（１８）に設けられ、細長いスロット（２７）が、前記側部部材の第２の側面（２０）に備えられたフィルタ部材（３）用の対応する受け座に対応する前記側部部材の第１の側面（１９）に設けられた突出部（２１）に対応して形成されていることを特徴とする請求項５又は６に記載のフィルタ。
【請求項８】
フィルタ構造体の周囲に配置された封止部材（４０）を備え、前記封止部材（４０）が弾性材料からなることを特徴とする請求項１に記載のフィルタ。
【請求項９】
互いに別体で隔てられているフィルタ部材（３）が、外周支持フレーム（４）において互いに角度をなして配置され、前記フィルタ部材（３）が、ポケット型フィルタ（１）における断面がＶ字形の複数個の対を構成し、Ｖ字形状において、同じ対のフィルタ部材（３）の下部エッジ（８）が、互いに隔てられているが近傍にあり、隣接する対のフィルタ部材（３）の上部エッジ（７）が互いに近傍にあることを特徴とする請求項１に記載のフィルタ。
【請求項１０】
各フィルタ部材（３）の各側部（９）には、近接する側部部材（１１、１２）と係合してフィルタ（１）を通り抜けるガス状の流体を透過させない封止状態をつくるように構成された細長い封止部材（５０）が備わっていることを特徴とする請求項１に記載のフィルタ。
【請求項１１】
フィルタ部材（３）の各外周フレーム（５）が、Ｌ字形状を有していることを特徴とする請求項１に記載のフィルタ。
【請求項１２】
各フィルタ部材（３）が、襞になった濾材（６）を有し、前記濾材（６）の襞の一部に付着させた接着剤によって隔てられ、濾材に機械的安定性を付与していることを特徴とする請求項１に記載のフィルタ。
【手続補正２】
【補正対象書類名】明細書
【補正対象項目名】００１０
【補正方法】変更
【補正の内容】
【００１０】
これらの目的及び当業者には明らかになるであろう他の目的は、各々が、内側に固定した状態で濾材を収容し支持する外周フレームを有する複数のフィルタ部材を備えたポケット型フィルタであって、前記フィルタ部材が、ポケット型フィルタの外周支持フレームに取り外し可能に取り付けられ、濾過する気体状の流体が通り抜けるダクト、開口又は容器本体に取り外し可能に挿入することができる単一のフィルタ構造体を構成し、前記フィルタ構造体が、断面が四角形の全体を分解することのできる外周構造体を有するポケット型フィルタにおいて、前記外周構造体が、前記外周支持フレームと２個のフィルタ部材であって、互いに分離自在なフィルタ部材と備え、ポケット型フィルタの各フィルタ部材は、互いに別体で隔てられ独立しており、前記外周支持フレームは、互いに平行に配置され相互に独立して互いに連結された２個の側部部材を備えており、前記側部部材は、フィルタ構造体の四角形の外周構造体の両側側部を構成し、前記側部部材は、相対的な連結によりフィルタ部材に取り付けることができ、前記フィルタ部材のうちの２個が、前記フィルタ構造体の前記四角形の外周構造体の他の２個の側面を構成していることを特徴とするポケット型フィルタによって達成される。
【手続補正書】
【提出日】平成30年5月15日(2018.5.15)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】全文
【補正方法】変更
【補正の内容】
【実用新案登録請求の範囲】
【請求項１】
各々が、内側に固定した状態で濾材（６）を収容し支持する外周フレーム（５）を有する複数のフィルタ部材（３）を備えたポケット型フィルタ（１）であって、前記フィルタ部材（３）が、ポケット型フィルタ（１）の外周支持フレーム（４）に取り外し可能に取り付けられ、濾過する気体状の流体が通り抜けるダクト、開口又は容器本体に取り外し可能に挿入することができる単一のフィルタ構造体（２）を構成し、前記フィルタ構造体（２）が、断面が四角形の全体を分解することのできる外周構造体を有するポケット型フィルタにおいて、前記外周構造体が、前記外周支持フレーム（４）と２個のフィルタ部材（３）であって、互いに分離自在なフィルタ部材と備え、ポケット型フィルタの各フィルタ部材は、互いに別体で隔てられて独立しており、前記外周支持フレーム（４）は、互いに平行に配置され相互に独立して互いに連結された２個の側部部材（１１、１２）を備えており、前記側部部材は、フィルタ構造体（２）の四角形の外周構造体の両側側部を構成し、前記側部部材は、相対的な連結によりフィルタ部材（３）に取り付けることができ、前記フィルタ部材（３）のうちの２個が、前記フィルタ構造体（２）の前記四角形の外周構造体の他の２個の側面を構成していることを特徴とするポケット型フィルタ。
【請求項２】
側部部材（１１、１２）が、フィルタ部材（３）の外周フレーム（５）の側部（９）に取り付けられた対応する嵌め合い連結手段（２８、３０）用の取り外し可能な連結手段（２６、２７）を備えていることを特徴とする請求項１に記載のフィルタ。
【請求項３】
前記連結手段（２６、２７）と嵌め合い連結手段（２８、３０）は、互いに対して摺動することができることを特徴とする請求項２に記載のフィルタ。
【請求項４】
連結手段は、フィルタ構造体（２）の各側部部材（１１、１２）に設けられた細長い受け座（２６、２７）であり、嵌め合い連結手段は、フィルタ部材の外周フレーム（５）の側部（９）から突出したリブ（２８）であり、前記リブは、前記リブ（２８）が断面で見た時に少なくとも「Ｌ」又は「Ｔ」の形状であるように横方向に突出した部分（３０）を備えた自由端を有していることを特徴とする請求項３に記載のフィルタ。
【請求項５】
各側部部材（１１、１２）が、自由端の一つ（１７Ａ）において先端が突出エッジ（１８）になった主要部（１７）を有する本体部（１６）を備えており、フィルタ部材（３）の突出部分（３０）を有するリブ（２８）用の前記細長い受け座（２６、２７）が、前記主要部（１７）及び突出エッジ（１８）に設けられていることを特徴とする請求項４に記載のフィルタ。
【請求項６】
前記細長い受け座が、前記側部部材（１１、１２）の長手方向の軸線（Ｗ）に沿う細長い貫通口（２６）からなり、前記貫通口は、前記側部部材に設けられ前記貫通口（２６）と角度をなして配置された細長いスロット（２７）とつながっていることを特徴とする請求項４に記載のフィルタ。
【請求項７】
前記貫通口（２６）が、側部部材（１１、１２）の突出エッジ（１８）に設けられ、細長いスロット（２７）が、前記側部部材の第２の側面（２０）に備えられたフィルタ部材（３）用の対応する受け座に対応する前記側部部材の第１の側面（１９）に設けられた突出部（２１）に対応して形成されていることを特徴とする請求項６に記載のフィルタ。
【請求項８】
フィルタ構造体の周囲に配置された封止部材（４０）を備え、前記封止部材（４０）が弾性材料からなることを特徴とする請求項１に記載のフィルタ。
【請求項９】
互いに別体で隔てられているフィルタ部材（３）が、外周支持フレーム（４）において互いに角度をなして配置され、前記フィルタ部材（３）が、ポケット型フィルタ（１）における断面がＶ字形の複数個の対を構成し、Ｖ字形状において、同じ対のフィルタ部材（３）の下部エッジ（８）が、互いに隔てられているが近傍にあり、隣接する対のフィルタ部材（３）の上部エッジ（７）が互いに近傍にあることを特徴とする請求項１に記載のフィルタ。
【請求項１０】
各フィルタ部材（３）の各側部（９）には、近接する側部部材（１１、１２）と係合してフィルタ（１）を通り抜けるガス状の流体を透過させない封止状態をつくるように構成された細長い封止部材（５０）が備わっていることを特徴とする請求項１に記載のフィルタ。
【請求項１１】
フィルタ部材（３）の各外周フレーム（５）が、Ｌ字形状を有していることを特徴とする請求項１に記載のフィルタ。
【請求項１２】
各フィルタ部材（３）が、襞になった濾材（６）を有し、前記濾材（６）の襞の一部に付着させた接着剤によって隔てられ、濾材に機械的安定性を付与していることを特徴とする請求項１に記載のフィルタ。